Podtech/llm-jp-corpus-v4-ja_patent huggingface dataset:
(57)【要約】【課題】圧縮機のオイル吐出量の増加を防ぐこと。【解決手段】密閉容器１内に回転子２および固定子３からなる電動機部と、電動機部と連結される圧縮機構部と、密閉容器１底部にオイル４を備え、回転子２の端板中心にシャフト上端のオイル通路出口から噴き上がるオイルを半径方向に流すオイルカバー７を備えることにより、シャフト５が吸い上げたオイルが回転子上端において半径方向に流されるので、吐出管から直接吐き出されるオイル吐出量の増加を防ぐことができる。【選択図】図２
2013002417.tif 000002
【特許請求の範囲】
【請求項１】
密閉容器内に回転子および固定子からなる電動機部と、前記電動機部と連結される圧縮機構部とを備えた圧縮機であって、前記回転子の端板中心にオイルカバーを備えたことを特徴とする圧縮機。
【発明の詳細な説明】
【技術分野】
【０００１】
本発明は空気調和機の室外機等に用いられる圧縮機に関するものである。
【背景技術】
【０００２】
一般に空気調和機や冷凍機等に用いられる圧縮機は、密閉容器内に回転子と固定子からなる電動機部と、この電動機部と連結される圧縮機構部と、密閉容器底部にオイルを備えている。従来の圧縮機は、図３に示すようにシャフト５の中心にはオイル通路６が設けられており、シャフト５が回転することで密閉容器１底部のオイル４を吸い上げ、シャフトに設けられた穴８から圧縮機構部にオイル４を供給し、給油に使用されなかった余分なオイル４はシャフト５上端のオイル通路出口から吐き出される（例えば、特許文献１参照）。
【先行技術文献】
【特許文献】
【０００３】
【特許文献１】特開平９−１１９３８８号公報
【発明の概要】
【発明が解決しようとする課題】
【０００４】
しかしながら上記従来の構成では、特に高回転数での運転においてオイル流量が増加する場合にシャフト上端からオイルが噴き上がり、シャフト上部に設けられた吐出管から圧縮機外部に吐き出されるため圧縮機からのオイル吐出が増加していた。その結果、空気調和機や冷凍機等の冷却効率が低下すると共に、密閉容器内の底部のオイルが不足し圧縮機構部における作動が円滑に行えなくなるなどの恐れがあった。
【０００５】
本発明は前記従来の課題を解決するもので、圧縮機のオイル吐出の増加を防ぐことを目的とする。
【課題を解決するための手段】
【０００６】
前記従来の課題を解決するために、本発明の圧縮機は、密閉容器内に回転子および固定子からなる電動機部と、前記電動機部と連結される圧縮機構部とを備えた圧縮機であって、前記回転子の端板中心にオイルカバーを備えている。これにより、シャフト上端から噴き上がるオイルを半径方向に流すことで吐出管から直接吐き出されることがないため、オイル吐出の増加を防ぐことができる。
【発明の効果】
【０００７】
以上のように本発明によれば、シャフト上端から噴き上がるオイルを半径方向に流すことで吐出管から直接吐き出されることがないため、圧縮機からのオイル吐出量の増加を防ぐことができる。
【図面の簡単な説明】
【０００８】
【図１】本発明の実施の形態１における圧縮機の縦断面図
【図２】本発明の実施の形態１における回転子の外観図
【図３】従来の圧縮機の縦断面図
【発明を実施するための形態】
【０００９】
第１の発明は、密閉容器内に回転子および固定子からなる電動機部と、前記電動機部と連結される圧縮機構部とを備えた圧縮機であって、前記回転子の端板中心にオイルカバー
を備えることにより、圧縮機からのオイル吐出量の増加を防ぐことができる。
【００１０】
以下、本発明の実施の形態について図面を参照しながら説明する。なお、この実施の形態によって本発明が限定されるものではない。
【００１１】
（実施の形態１）
図１は、本発明の実施の形態１における圧縮機の断面図を示すものである。図２は、本発明の実施の形態１における回転子の外観図を示すものである。
【００１２】
図１において、密閉容器１には、回転子２と固定子３からなる電動機部と、その下側に圧縮機構部、密閉容器１底部にはオイル４が備えられている。回転子２はシャフト５に固定されている。シャフト５の中心にはオイル通路６が設けられている。回転子２の端板中心には、シャフト５上端のオイル通路出口から噴き上がるオイル４を半径方向に流すオイルカバー７を備えている。
【００１３】
以上のように構成された圧縮機について、以下その動作、作用を説明する。
【００１４】
圧縮機運転時に回転子２が回転することでシャフト５が回転し密閉容器１底部のオイル４を吸い上げ、シャフト５に設けられた穴８から圧縮機構部にオイル４を供給する。吸い上げられたオイル４はシャフト５上端に達し、回転子２の端板中心に設けられたオイルカバー７に導かれ半径方向に流される。
【００１５】
吸い上げられたオイル４が回転子２上端において半径方向に流されることで吐出管から直接吐き出されることがないため、オイル吐出の増加を防ぐことができる。
【産業上の利用可能性】
【００１６】
以上のように、本発明にかかる圧縮機は、シャフト上端から噴き上がるオイルを半径方向に流すことで圧縮機からのオイル吐出量の増加を防ぐことができるため、高効率で信頼性の高い圧縮機を提供することができる。
【符号の説明】
【００１７】
１  密閉容器
２  回転子
３  固定子
４  オイル
５  シャフト
６  オイル通路
７  オイルカバー
８  穴
【図２】
2013002417.tif 000003
【図１】
2013002417.tif 000004
【図３】
2013002417.tif 000005
(57)【要約】      （修正有）【課題】一枚岩上に建築物を建てる免震技術を提供する。【解決手段】基礎杭５に連結した一枚岩基礎４上に玉石やコンクリート塊３等の堆積物をクッション材として挟み、その上に鉄筋コンクリート造の一枚岩基礎２を築きサンドイッチ状の構造とする。【選択図】図１
2013002273.tif 000002
【特許請求の範囲】
【発明の詳細な説明】
建築物の免震基礎工法。
【技術分野】本考案は敷地における、点在する基礎郡を非定して、一枚岩上に建築物を建てる事で免震を計る、災害防止を目的とする技術。
【背景技術】敷地全体を一枚岩鉄筋コンクリート造として基礎杭に連結した一枚岩上に玉石やコンクリート塊等の堆積物をクッション材として挟み、その上に更に一枚岩鉄筋コンクリート造の基礎を築くものでサンドイッチ状の構造をするものである。下側の一枚岩と上側の一枚岩は連結すると意味が無くなるので、玉石の上に浮いている様に施工する。
【考案の効果】
原子力発電所及火力発電所及化学プラント及石油コンビナート及タンク等において構造を強固にするのは当然であるが本考案は免震技術であるので、片持構造や内容物に対して地震の加速度を受けない構造である為に急激な物理的、中性子的化学的反応等の変異の発生を防止する。
【符号の説明】〔図１〕
１  建屋、煙突、工場、住居。
２  鉄筋コンクリートの一枚岩基礎。
３  玉石、コンクリート塊。
４  基礎坑に連結した一枚岩基礎。
鉄筋コンクリート製。
５  基礎坑。
６  中央部は鍋底の様に周辺より低い。
７  水抜きドレン穴。
８  ＧＬは自由の高さ。
【図１】
2013002273.tif 000003
【手続補正書】
【提出日】平成23年10月6日(2011.10.6)
【手続補正１】
【補正対象書類名】明細書
【補正対象項目名】全文
【補正方法】変更
【補正の内容】
【発明の詳細な説明】
【技術分野】
【０００１】本考案は敷地における、点在する基礎郡を非定して、一枚岩上に建築物を建てる事で免震を計る、災害防止を目的とする技術。
【背景技術】
【０００２】敷地全体を一枚岩鉄筋コンクリート造として基礎杭に連結した一枚岩上に玉石やコンクリート塊等の堆積物をクッション材として挟み、その上に更に一枚岩鉄筋コンクリート造の基礎を築くものでサンドイッチ状の構造をするものである。下側の一枚岩と上側の一枚岩は連結すると意味が無くなるので、玉石の上に浮いている様に施工する。
【考案の効果】
【０００３】原子力発電所及火力発電所及化学プラント及石油コンビナート及タンク等において構造を強固にするのは当然であるが本考案は免震技術であるので、片持構造や内容物に対して地震の加速度を受けない構造である為に急激な物理的、中性子的化学的反応等の変異の発生を防止する。
【図面の簡単な説明】
【０００４】
【図１】断面図
【符号の説明】
【０００５】〔図１〕
１  建屋、煙突、工場、住居。
２  鉄筋コンクリートの一枚岩基礎。
３  玉石、コンクリート塊。
４  基礎坑に連結した一枚岩基礎。
鉄筋コンクリート製。
５  基礎坑。
６  中央部は鍋底の様に周辺より低い。
７  水抜きドレン穴。
８  ＧＬは自由の高さ。
【手続補正２】
【補正対象書類名】特許請求の範囲
【補正対象項目名】全文
【補正方法】変更
【補正の内容】
【特許請求の範囲】
【請求項１】
複数の建築物を同一の基礎とする事。
【請求項２】
サンドイッチ構造のクッション設備。
【請求項３】
下側の一枚岩は鍋底である事。
【請求項４】
ドレン穴が有る事。
【請求項５】
上下一枚岩は連結しない又は地震時には連結が外れる構造
【請求項６】
玉石、コンクリート塊及廃材等はこの構造を有する時は材質を問わずクッション材と見做す事。
(57)【要約】【課題】暑い夏の夕暮れ時から外気を室内に取り入れるために、既存の網戸に簡便方法で取り付けられる換気装置および換気装置取り付き網戸を提供する。【解決手段】換気扇取付枠Ａ3と換気扇取付枠Ｂ4を網戸１の右縦框１Ａと左縦框１Ｂに、それぞれ取付固定（例えば、ビス締め）して、そこに換気扇２を取付固定（例えば、ビス締め）することで、大幅な改造による高度な施工技術と多大な費用が必要なく、網戸１に簡便的に取付可能とすることができる換気装置とする。【選択図】図１
2013002252.tif 000002
【特許請求の範囲】
【請求項１】
網戸の縦框間に換気扇取付枠を取付固定（例えば、ねじ締め）して、その換気扇取付枠に換気扇を取付固定できることにした換気装置。
【請求項２】
数多くある網戸に対応するために、伸縮可能とした換気扇取付枠を使用した換気装置、および中間框に取付固定した換気装置。
【請求項３】
換気風量の増減を可能とするために、換気扇取付枠に複数台の換気扇を取り付けた換気装置。
【請求項４】
室内と室外の空気を循環するために、換気扇取付枠に換気扇の取付方向を変えて吸気、排気が、同時にできることにした換気装置。
【発明の詳細な説明】
【技術分野】
【０００１】
この発明は、既存の網戸に取り付ける換気装置に関する。
【背景技術】
【０００２】
既存の窓に取り付る換気装置等は、窓枠構造の一部（例えば、窓ガラス）を取り外すなどの大幅な改造工事となり、工事期間、費用が大きな負担になっていた。  また外観的に見て家の景観を損なうものであった。
【先行技術文献】
【特許文献】
【０００３】
【特許文献１】特開２００５−２７３２６８
【発明の概要】
【発明が解決しようとする課題】
【０００４】
以上の方式によれば、専門的な施工技術力、高額な費用が必要である。  そこで、この発明は、簡便的な工事、安価で家の景観を損じることなく取り付けられる換気装置を課題とする。
【課題を解決するための手段】
【０００５】
以上の課題を解決するために、窓構造を改造することなく、網戸内側の外枠部材に換気装置の板部材を簡便に取付固定（例えば、ねじ締め）することを特徴とする換気装置である。
【発明の効果】
【０００６】
この発明によれば、網戸を改造することなく簡便に取り付けることができる。このことで、個人が換気装置を簡便に取り付けられて、夏の夕暮れ時から外気を取り入れて、快適な室内生活を満悦できる。  また換気装置を網戸の内側に取付けるため、家の景観を損なうことがない。
【図面の簡単な説明】
【０００７】
【図１】この発明の実施形態を示す斜視図である。
【発明を実施するための形態】
【０００８】
この発明の一実施形態を、図1に示す。網戸１は、右縦框１Ａと左縦框１Ｂ、上框１Ｃと下框１Ｄの型枠に網１Ｅが張り合せらている。室内側に換気扇取付板枠Ａ３の端部を右縦框１Ａに挟み込み固定（例えば、ねじ締め）する。同じように換気扇取付板枠Ｂ４の端部を左縦框１Ｂに挟み込み固定（例えば、ねじ締め）する。換気扇取付板Ａ３の端部と換気扇取付板Ｂ４の端部の間に換気扇２を取付固定（例えば、ねじ締め）して換気装置となる。
【０００９】
換気扇取付板枠Ａ３、または換気扇取付枠Ｂ４を伸縮可能とすることで、数多くある網戸１に対応できる。また換気扇２を２台並列配置することで風量を倍増することができ室内環境をより向上できる。
【００１０】
換気扇２の風向は一方向のため、取り付け方向を切替えれば容易に、室内側に吸気する場合と室外に排気する場合を選択できる。また  吸気用、換気用の換気扇２を並列に取り付けた換気装置とすれば同時に吸排気でき、快適な室内環境を得ることができる。  
【００１１】
換気扇２は、事故防止のため両端に網目状の保護面を取り付けた、２０ｍｍ前後の薄型構造タイプ（例えば、ファンモータ方式）にすることで、窓サッシ戸の間隙に収まる。  また電源コネクター２Ａを取付けたことで、電力を供給する電源コードを容易に挿入接続することができる。この方式にしたことで電源コードを容易に取り外すことができて、窓の開閉が支障なくできて確実に戸締りができる。
【実施例】
【００１２】
本発明の利用実施を具体的に説明する。この換気装置を家庭の窓網戸に取り付けて、暑い季節の夕暮れ時から外気を部屋に入れれば室温を下げることと、爽やかな気流で快適な室内環境を得られる。  また梅雨の時期などに室内の湿った空気を室外に排気すれば、より快適な室内環境が得られる.  またこの換気装置は網の室内側に取り付けているため、ハエ・蚊などが侵入することなく、快適な室内環境を得られる。
【産業上の利用可能性】
【００１３】
本発明は、既存の網戸に簡便に取り付けることができる換気装置、および新設する網戸に組み込まれた換気装置を適用する換気取付窓の産業分野で利用することができる。
【符号の説明】
【００１４】
１  網戸
１Ａ  右縦框
１Ｂ  左縦框
１Ｃ  上框
１Ｄ  下框
１Ｅ  網
２  換気扇
２Ａ  電源コネクター
３  換気扇取付枠Ａ
４  換気扇取付枠Ｂ
【図１】
2013002252.tif 000003
(57)【要約】【課題】３月１１日の東日本大震災の影響による夏場の電力不足を解決できる。【解決手段】大型レンズによる太陽光発電装置【選択図】図１
2013002298.tif 000002
【特許請求の範囲】
【請求項１】
太陽光を吸収して大型レンズ(補助レンズを含む)によって光の焦点(高温)に水保管ドラムの熱し点を熱する事でドラムの中の水を沸騰させ蒸気を発生させる。
【発明の詳細な説明】
【技術分野】
【０００１】
本発明は、大型レンズを使用し太陽光の温度を高温にし水ドラムを熱することで得た蒸気で
タービンをまわし発電する。
【背景技術】
【０００２】
大型レンズを使用する太陽光発電装置の中で、大型レンズの役割は非常に重要で太陽光の光温度を１０００倍に増幅して、水ドラムを高温にし十分熱せられた水蒸気をタービンへ送り込む。３月１１日の東日本大震災の影響で非常に電力が不足することが予想される
今日、いち早くこの装置を導入することで夏場の電力不足をまかなう一助になる。また、この装置は太陽光が電力元でシステム自体も簡単であるところが利点である。
【発明の概要】
【発明が解決しようとする課題】
【０００３】
日の出から日の入りまで効率よく太陽の動きに合わせて、大型レンズが移動(上下左右斜め)し熱効率を上げる。また、水を効率よく熱するためにドラム外部に熱効率を上げるための光を吸収しやすい素材(黒の素材で加工した鉄製品)と、如何に早く(太陽光を大型レンズで光の接点温度を高温にし)水蒸気を発生させてタービン建屋に送り込むかが課題となる。
【課題を解決するための手段】
【０００４】
太陽光は季節によって温度が変わる、太陽光を効率よく(コンピューター制御する)大型レンズ(大型レンズだけでは十分に熱しない場合は補助レンズを接合させ)がとらえて高温の太陽光を水保管ドラムの接点(温度がどれくらい上がっているか温度を測る)から高温で熱せられた水が水蒸気の発生によりタービンを回す。
【発明の効果】
【０００５】
原子力発電は３月１１日の東日本大震災以降、安全神話の崩壊により徐々に停止されるだろう。火力発電は原油の高騰や有限な資源の利用による不安定要素が多々ある。よって今後徐々に電力生産量も少なくなってくるだろう。そこで第３の大きな発電装置として大型レンズによる太陽光発電装置は熱源が太陽光で、太陽が存在する限り利用可能である。大型レンズも劣化しない限り長く使用できる。
何よりも安全である点が今後、広く利用される点である。
【図面の簡単な説明】
【０００６】
【図１】1.大型レンズはコンピューター制御による太陽光を確実に捕らえる。  熱始点の温度が低ければ補助レンズを用いて温度を高める。2.光吸収(熱し点)は吸収力の良い鉄製黒板を使用する。
【発明を実施するための形態】
【０００７】
大型レンズによる太陽光発電装置は例えばカメラメーカーとタイアップする。カメラレンズの開発技術を太陽光の温度を増幅させる技術に変化させて頂、太陽が照っている間、熱効率の良いレンズを開発していただく。また。太陽光が大型レンズにより高温になった光を
水が入っているドラムを高温で暖める。そのドラムの開発を製鉄メーカーで開発してもらう。
【実施例】
【０００８】
大型レンズの使用で工業用として大規模発電を可能とする。また、レンズを小さくして家庭用の発電装置としても使用できる。
【産業上の利用可能性】
【０００９】
大型レンズによる太陽光発電装置をマンションの屋上に設置し、太陽の日照時間発電する。また余剰の電気は充電池に蓄え夜に使用する。
【図１】
2013002298.tif 000003
(57)【要約】【課題】毎年冬期が来ると北は北海道より南は島根県ぐらいまでは屋根瓦上には豪雪が積もってしまいます。その積った豪雪をスコップ等を持って屋根瓦上に上がって積った豪雪をスコップ等を持って屋根瓦上に上がって積った雪を路上まで落とす為にひと苦労しています。毎年です。又、昨年はこの作業をする為に屋根上に上がって作業をしていた方々の１２０名が命を落しています。屋根上よりの転落です。もうこの様な事があってはいけません。【解決手段】この様な事故死を未然に防ぐ為にも私の発明致しました『雪が積もらない屋根』を何卆一早く各家庭に一つ屋根瓦上に設置して室内よりの温度調整のみで雪の積もらない快適な毎年の冬期をお過ごし下さいませ。【選択図】図１
2013002264.tif 000002
【特許請求の範囲】
【請求項１】
我国の１年の季節には四季と言うものがあり、めぐり回ってやって来るのが冬季です。北は北海道より島根県あたりの日本海側には毎年と言って良い程、各自の屋根上に積る豪雪は本当にやっかいな物です。この毎年屋根上に積る大雪を屋根より道路下に下さなければ大雪の重みで自室がつぶれたり傾いたりする為に毎年自宅の屋根上にスコップ等を持って上がって一生懸命に今までは雪を屋根下までおろしていました。大変な重労働です。又、昨年平成２２年度にはこの雪おろしの作業をする為に屋根上から地上に落下して、１２０名もの人々が死亡して命をおとしました。
【請求項２】
もうこんな危険な作業をする必要はございません。もう今後は自宅の屋根瓦上には一切上がる必要はございません。
一度、自宅の屋根瓦上に設置すれば豪雪は一滴たりとも積る事はありません。自宅の中より温度調整一つですべて屋根上に積った豪雪は水滴となり屋根下に落ちます。ご自分も一生涯又、お孫さんが大きくなっても、もう屋根上には上がらなくて済みます。
【発明の詳細な説明】
【技術分野】
【０００１】本発明は大量の雪が屋根に積るのを電気ニクロム線及び銅管線（スチール）にて雪を溶し水滴にして屋根下に流すものである。
【背景技術】
【０００２】従来、現在に於いても全世界にこの装置は今だございません。昨年、平成２２年度冬期、わが国で大量に積った雪を屋根からおろす為に作業をしていた１２０名の方々が屋根より落下して命をおとしています。この装置を設置すれば、今後は一度も屋根上に上がらなくてもすみます。【０００３】以下、図１、図２により屋根上の設置について説明する。
図に於いて、２角材を屋根瓦上に敷いて１角材すべり止めの為にバンセンにて固定する。その上にステンレスの各Ａ−１よりＢ−６までの固定ビスネジ等にてパネルを取り付ける。【０００４】中央天上屋根部も同様に上より固定する。１０配線等は屋根上より室内の設置場所に固定して、スイッチ板にて温度調整をして、屋根上に積った大雪をすべて水滴化して下に流す。
【先行技術文献】
【発明の概要】
【発明が解決しようとする課題】
【０００５】我国において、今だ例の無い課題です。問題点は不明です。
【課題を解決するための手段】
【０００６】前項で説明した課題を解決するために、ステンレス製ボックスＡ−１よりＢ−６までの箱形による電気ニクロム線及び銅管線（スチール）７を中に張りめぐらせて電気スイッチ１３により、各パネルを温めて屋根上に積った豪雪を溶かし、水滴として下に流れおとすものであります。
【発明の効果】
【０００７】この技法は今まで我国にはございませんでした。
今までは屋根上に上がってスコップ等で積った大雪を自分の肉体で一生懸命に雪を下におろしていました。この作業中に昨年度は１２０名もの人々が屋根上から転落して自らの大切な命を落とすといった悲惨な出来事も現実にございました。【０００８】この様な悲惨な出来事を二度とくり返さない為にも今回発明したのが、この雪が積もらない屋根です。
【図面の簡単な説明】
【０００９】
【図１】本発明の実施形態を示す雪が積もらない屋根の部分設置図
【図２】本発明の最天上中央部取付け設置パネルの部分設置図
【図３】本発明の屋根上設置パネル部の設置図
【図４】本発明の配線温度調整器及び電気ブレーカー部の設置図
【発明を実施するための形態】
【００１０】以下、本発明の実施の形態を図１〜図４に基づいて説明する。
【００１１】図においては、２の屋根上の角材をすべり落とさない為に、角材すべり止めバンセン１を双方とも縛り瓦より落ちない様に固定する。
【００１２】角材２の上にＡ−１〜Ｂ−６のステンレス、ニクロム線及び銅管線（スチール）７を張りめぐらした電気パネル４を屋内用電源スイッチ１０にて配線する。
【００１３】その配線した温度調整器パネルにて屋根上に積った豪雪を温度調整して溶かして水滴にして屋根下に落とすものである。
【符号の説明】  １角材すべり止めバンセン
２角材
３屋根瓦
４ステンレス電気パネル
５最天上屋内用電源パネルえ
６天上ステンレスカバー
７ニクロム線及び銅管線
８各パネルはめ込み口
９石膏台
１０屋内用電源温度調整板え
１１配線（屋上各パネル）え
１２屋上各パネル番号名
１３屋内各パネル温度調整板
１４温度調整器
１５ブレイカー板
【図１】
2013002264.tif 000003
【図２】
2013002264.tif 000004
【図３】
2013002264.tif 000005
【図４】
2013002264.tif 000006
(57)【要約】      （修正有）【課題】ダム建設には、経済的負担と自然破壊、火力発電には、火力資源の輸入問題、地下熱発電では、自然破壊と経済的負担、原子力では、限りない危険が伴う。これらの課題を解決するために、河川伏流水を導管に取り込み、河川の勾配を利用した水力の構造。【解決手段】河川地下の伏流水を取り込む導管と水圧機能を持つ導管をボルト３で組み合わせ、河川の勾配によって水圧を高め、発電等の動力を発生させる構造であり、蜂の巣状の孔４の仕組みで、河川の洪水等に影響なく、河川床伏流水を自然に取り込む導管の構造。【選択図】図１
2013002269.tif 000002
【特許請求の範囲】
【請求項１】
河川地下の伏流水を取り込む導管［図１］と水圧機能を持つ導管［図２］をボルト（３）で組み合わせ、河川の勾配によって水圧を高め、発電等の動力を発生させる構造
【請求項２】
蜂の巣状の孔（４）の仕組みで、河川の洪水等に影響なく、河川床伏流水を自然に取り込む導管［図１］の構造
【発明の詳細な説明】
【技術分野】
【０００１】本発明は、一般的な発電等に関するものである。
【背景技術】
【０００２】  従来、発電方式は、ダム方式、火力式、原子力、地下熱発電、太陽光、風力、波力、バイオ等、あらゆる資源の活用と仕組みにより、研究開発が進められてきたが、現在、世界的にも限界的な課題となっている。
【発明の概要】
【発明が解決しようとする課題】
【０００３】  従来、発電の仕組みには、多くの克服すべき課題があり、いずれも限界の領域にある。
ダム建設には、経済的負担と自然破壊、火力発電には、火力資源の輸入問題、地下熱発電では、自然破壊と経済的負担、原子力では、限りない危険が伴う。また、風力では、景観や風量の課題が残され、太陽光発電は発展途上にある。
従って、クリーンな分野の開発が求められている。
【課題を解決するための手段】
【０００４】  これらの課題を解決するために、河川伏流水を導管［図１］に取り込み、河川の勾配を利用した水力の構造を考案したものである。
本来、河川［図３］は中央に本流部（１）と、そのサイドに洪水に備えた遊休河川敷地（２）と大洪水に備えた築堤（３）の構造になっているのが一般的である。
このサイドの遊休地下には大量の伏流水が流れている。この伏流水を取り込む導管［図１］と、水圧を高める水圧導管［図２］をその地形に応じて、直結・延長し、一体化した鉄鋳の導管［図１］［図２］を埋設した構造である。
【発明の効果】
【０００５】  この構造を設置する河川は、行政の管理下にあって、土地の利用は容易である。河川床の深層地下には、障害物が想定されず、工法上安価であり、構造物の埋設完了時には原状に復帰され環境的な問題はない。水圧導管［図２］の終末には、小規模な発電のみの設備建造物が必要であるが、景観、環境を損なうまでには至らない。【０００６】  更に、導管［図１］［図２］埋設間の本流水量に変化は生じるものの、導管終末では定水量に戻る。この仕組みから、その河川に継続的多段に、多数の設置ができる。
また、工法が地下深層に埋設する構造から、半永久的な維持が可能となる。【０００７】  本発明は、伏流水取り込み導管［図１］に自然に流れ込む作用をさせるために、蜂の巣状の孔（４）の総円面積は導管［図１］円面積の５倍程度が必要である。
この導管［図１］と水圧機能を持つ導管［図２］を、ボルト孔（２）にボルト（３）で直結一体化させ、河川敷地下の深層に埋設する。
この構造から、河川流域の勾配が２％の地形では、伏流水取り込み導管［図１］と水圧導管［図２］の総延長が１ｋｍの終末では、高さ２０ｍの水圧に等しい。
その水力比は、地形の勾配と導管［図１］［図２］の延長距離に比例する。
【図面の簡単な説明】
【０００８】
【図１】  伏流水を取り込む導管斜視図
【図２】  水圧導管斜視図
【図３】  河川敷地断面図
【発明を実施するための形態】
【０００９】以下、本発明の実施形態を説明する。
本発明は、河川伏流水を取り込む導管［図１］と水圧を高める水圧導管［図２］を繋ぎ一体化した構造物を河川敷地の深層に埋設して、水力を発生させる仕組みである。その仕組みは、導管［図１］蜂の巣状の孔（４）を１０ｍｍとし、その周囲を３０ｍｍ範囲の砂利で包み、小石等の流入を防止する工法であり、導管［図１］と水圧導管［図２］を直結し、河川地形の勾配に応じて、河川地下深層に埋設して、河川の勾配による水圧で水力を発生させる構造である。
【符号の説明】
【００１０】  １  連結つば
２  連結ボルト孔
３  ボルト
４  伏流水流孔
【図１】
2013002269.tif 000003
【図２】
2013002269.tif 000004
【図３】
2013002269.tif 000005
(57)【要約】【課題】滞留する空気量を低減させ高性能を実現させた分流器を提供すること。【解決手段】略円筒状で、一端側面に水配管１を接続し、他端側面に貫通口５を有し、前記貫通口５および前記水配管１との接続口７を通して、冷媒管３を貫通させることで、前記水配管１内に前記冷媒管３を配設させる構成としたことを特徴とする分流器２で、分流器２天面に空気が通る空間が無く、分流器２内部において空気がたまりにくくなるので、効率良く熱交換を行うことができる。【選択図】図１
2013002650.tif 000002
【特許請求の範囲】
【請求項１】
略円筒状で、一端側面に水配管を接続し、他端側面に貫通口を有し、前記貫通口および前記水配管との接続口を通して、冷媒管を貫通させることで、前記水配管内に前記冷媒管を配設させる構成としたことを特徴とする分流器。
【請求項２】
複数本の前記冷媒管貫通させる構成としたことを特徴とする請求項１に記載の分流器。
【発明の詳細な説明】
【技術分野】
【０００１】
本発明は、パイプを接続する分流器に関するものである。
【背景技術】
【０００２】
従来のヒートポンプ式給湯機の水冷媒熱交換器は、分流器に複数の水配管を接続し、分流器の側面に貫通穴を備え、貫通穴に冷媒管を通し、分流器上部側面に水出口管を接続する構成としている。
【０００３】
水は水配管から分流器を介して水出口管を通り、貯湯タンクに供給している。冷媒は水配管に対向して冷媒分流器より複数に分流され、分流器を介して水配管内部に通している。
【先行技術文献】
【特許文献】
【０００４】
【特許文献１】特開２００９−１５６４７７号公報
【発明の概要】
【発明が解決しようとする課題】
【０００５】
しかしながら、前記従来の構成では、ヒートポンプユニットの水冷媒熱交換器は、水は水配管から分流器を介して水出口管に通しているが、分流器内の水出口管挿入部上部空間において空気が滞留しやすい状態となっており、ポンプにロックがかかりやすくなっていた。
【０００６】
本発明は、上記従来の課題を解決するもので、滞留する空気量を低減させ高性能を実現させた分流器を提供することを目的とする。
【課題を解決するための手段】
【０００７】
上記従来の課題を解決するために、本発明の分流器は、略円筒状で、一端側面に水配管を接続し、他端側面に貫通口を有し、前記貫通口および前記水配管との接続口を通して、冷媒管を貫通させることで、前記水配管内に前記冷媒管を配設させる構成としたことを特徴とするものである。
【０００８】
これによって、分流器天面に空気が通る空間が無く、分流器内部において空気がたまりにくくなるので、効率良く熱交換を行うことができる。
【発明の効果】
【０００９】
本発明によれば、滞留する空気量を低減させ高性能を実現させた分流器を提供できる。
【図面の簡単な説明】
【００１０】
【図１】本発明の実施の形態１における分流器の断面図
【図２】同分流器の全体図
【発明を実施するための形態】
【００１１】
第１の発明は、略円筒状で、一端側面に水配管を接続し、他端側面に貫通口を有し、前記貫通口および前記水配管との接続口を通して、冷媒管を貫通させることで、前記水配管内に前記冷媒管を配設させる構成としたことを特徴とする分流器で、分流器天面に空気が通る空間が無く、分流器内部において空気がたまりにくくなるので、効率良く熱交換を行
うことができる。
【００１２】
第２の発明は、複数本の前記冷媒管貫通させる構成としたことを特徴とするもので、高効率な熱交換を行うことができる。
【００１３】
以下、本発明の実施の形態について、図面を参照しながら説明する。なお、この実施の形態によって本発明が限定されるものではない。
【００１４】
（実施の形態１）
図１、図２は、本発明の実施の形態１における分流器の模式図を示すものである。
【００１５】
図１において、略円筒状の分流器２の一端側面に複数の水配管１を接続し、他端側面に貫通口５を配設し、前記貫通口５および前記水配管１と前記分流器２との接続口７を通して、冷媒管３を分流器２内を貫通させるとともに、前記水配管１内を通している。
【００１６】
また、分流器２の上端部に主管４を接続している。
【００１７】
以上のように構成された分流器について、以下その動作、作用を説明する。
【００１８】
まず、水は、複数の水配管１から分流器２を介して、分流器２上端部に接続された主管４を通る。
【００１９】
一方、冷媒は、冷媒管３から分流器２を介し、そのまま水配管１の内管に入る構成としており、水配管１と冷媒管３と熱交換を行う。
【００２０】
以上のように、本実施の形態においては、主管４を設けたことで無くすことができ、空気の滞留スペースを、空気の混入を抑制することで、効率の良い熱交換が可能となる。
【００２１】
上記の構成において、分流器２の端部に主管４を接続したことにより、品質安定化を図り、部品点数を削減できると共に、効率良く熱交換を行うことができ、高性能を引き出すことが可能な分流器２となる。
【産業上の利用可能性】
【００２２】
本発明は、給湯機など、水熱交換器の冷媒管を接続する分流器を有する機器に適用できる。
【符号の説明】
【００２３】
１  水配管
２  分流器
３  冷媒管
４  主管
５  貫通口
１１  冷媒管出口
１２  水管入口
１３  入口分流器
１４  入口側水管
【図１】
2013002650.tif 000003
【図２】
2013002650.tif 000004
(57)【要約】【課題】自動車ヘッドライトの光源電球から発生する熱をヘッドライトの筐体から外部に効率良く放出するために、熱伝導率を高めたヘッドライトのプラスチック筐体を供給する。【解決手段】ヘッドライトの筐体の熱伝導率を良くするためには、プラスチック原料（１）と熱伝導率の良い窒化アルミニウムや炭化ケイ素、炭化アルミニウム（アルミナ）、カーボン、などの素材（２）を混入し、その混入物をプラスチック成形機により成型して出来たプラスチックペレット（３）を、再度プラスチック成型して出来た筐体（４）は、熱伝導率の良いプラスチック筐体として造り出すことが出来、ＬＥＤ電球（５）の熱を外部に放出することが出来る。また、そのようにして、製造された電子機器筐体（４）に熱放射性の高い塗料を塗ったり、筐体（４）を二重構造にしてフィン（９）を取りつけることにより、熱伝導率のみならず熱放射率を高めることが出来る。【選択図】なし【特許請求の範囲】
【請求項１】
プラスチックと熱伝導率の良い素材を混入し、その混入物を射出成型により成型したことを特徴とする自動車ヘッドライトの筐体。
【請求項２】
プラスチックと熱伝導率の良い素材を混入し、その混入物を熱硬化性樹脂の成型方法によりによる成型した自動車ヘッドライトの筐体。
【請求項３】
プラスチックと熱伝導率の良い素材を混入し造られた混合物を、成型加工して製造した筐体に熱放射性の高い塗料を塗ることにより一体化したことを特徴とする自動車ヘッドライトの筐体。
【請求項４】
プラスチックと熱伝導率の良い素材を混入し造られた混合物を、成型加工して製造した筐体を二重構造にし、その空隙部分にヒートシンクを取りつけて一体化したことを特徴とする自動車ヘッドライトの筐体。
【発明の詳細な説明】
【技術分野】
【０００１】  この発明は、自動車ヘッドライトの光源電球から発生する熱をヘッドライトの筐体から外部に効率良く放出するために、ヘッドライトのプラスチック筐体の熱伝導率を高めるものである。
【背景技術】
【０００２】  自動車のヘッドライトにはＬＥＤ電球が使用されているが、ＬＥＤ電球はその入力電力の約８５％が熱になると言われるほど、多くの熱が放出される。そのＬＥＤ電球や、構成されている電子部品は熱を持つほど寿命が短くなるという欠点があり、そのためにＬＥＤ電球の熱を外に放出する必要性が出てきている。
しかしながら、自動車ヘッドライトの筐体はプラスチックで造られており、プラスチックは熱放射率は比較的高いが、熱伝導率が極めて低いため発生する熱の筐体部分での熱伝導が不十分となり、従来の手法ではＬＥＤ電球で発生した熱を外に放出する能力は充分とは言えなかった
【先行技術文献】
【特許文献】
【特許文献】特開２０１１−２０４５０２号公報
【発明の概要】
【発明が解決しようとする課題】
【０００３】  本発明は、自動車ヘッドライトのプラスチック成型品の熱伝導率を高めることを目的とするものである。
【課題を解決するための手段】
【０００４】  このような目的を達成する本発明は、自動車ヘッドライトのプラスチック成型品に熱伝導率の良い素材を混入させて、プラスチックの熱伝導率を高めようとしたものである。
【発明の効果】
【０００５】  請求項１のように自動車ヘッドライトのプラスチック筐体に熱伝導率の良い窒化アルミニウムや炭化ケイ素、炭化アルミニウム（アルミナ）、カーボン、などの素材を混入して熱伝導率の良いプラスチック成型材料を造り、更にその材料をプラスチック成型方法により成型された電子機器の筐体は、熱伝導率が良く、ヘッドライトの熱を外部に放出する能力が向上した。
ちなみに、本発明の効果を試験するために、ポリカーボネート樹脂の板を電球を熱源として暖めた場合に、その板の熱源の反対側の温度を測定する試験を行ったが、ポリカーボネート樹脂に熱伝導性の良い素材を混入しなかった場合の温度は８２℃であった結果に比べ、熱伝導性の良い素材を３０ｗｔ％混入した板の場合は８６℃となり、熱伝導率の改善の効果が見られた。
【図面の簡単な説明】
【０００６】
【図１】本発明の製造方法の一形態を示す構成図である。
【図２】本発明の使用時の構成図である。
【図３】本発明のプラスチック筐体を二重構造にした構成図である。
【発明を実施するための形態】
以下、本発明を実施するための最良の形態について、図面を参照して説明する。
【０００７】  プラスチック原料（１）と熱伝導率の良い窒化アルミニウムや炭化ケイ素、炭化アルミニウム（アルミナ）、カーボン、などの素材（２）を混入し、その混入物を押出成形機により一体化したプラスチックペレット（３）を成型する。本発明の基本となるプラスチックペレット（３）は以上の様な方法で製造し、そのプラスチックペレット（３）を射出成型によりヘッドライトの筐体（４）を射出成型方法にて製造する。本発明は、以上の様な方法で製造される。
【０００８】  プラスチック原料（１）と熱伝導率の良い窒化アルミニウムや炭化ケイ素、炭化アルミニウム（アルミナ）、カーボン、などの素材（２）を混入して行う製造方法においては、射出成型で行う他に、他のプラスチック成型方法で行っても良い。
【０００９】  プラスチック原料（１）と熱伝導率の良い窒化アルミニウムや炭化ケイ素、炭化アルミニウム（アルミナ）、カーボン、などの素材（２）を混入し、その混入物を押出成形機により一体化したプラスチックペレット（３）を成型し、そのプラスチックペレット（３）を射出成型により製造された筐体（４）に熱放射性の高い塗料を塗ることにより、比較的高かった筐体（４）の熱放射特性を更に高めることが出来る。
【００１０】  プラスチック原料（１）と熱伝導率の良い窒化アルミニウムや炭化ケイ素、炭化アルミニウム（アルミナ）、カーボン、などの素材（２）を混入し、その混入物を押出成形機により一体化したプラスチックペレット（３）を成型し、そのプラスチックペレット（３）を射出成型により製造された筐体（４）の外側にケース（７）を設けて筐体（４）を二重構造にし、その空隙部分（８）にヒートシンクを（９）を取りつけて筐体（４）の放熱特性を更に高めることが出来る。
【符号の説明】
【００１１】１  プラスチック原料
２  熱伝導率の高い素材
３  本発明の基本となるプラスチックペレットの構成図
４  プラスチックと熱伝導率の高い素材とが混合されたプラスチック筐体
５  ＬＥＤ電球
６  ヘッドライト前面（透明樹脂）
７  外側ケース
８  プラスチック筐体の外側空隙部
９  ヒートシンク
【図１】
2013258141.tif 000002
【図２】
2013258141.tif 000003
【図３】
2013258141.tif 000004
(57)【要約】      （修正有）【課題】ＣＯ２を排出しない無燃料の発電システムの提供。【解決手段】電力会社の電力を利用して発電する方法は電力会社の三相２００ｖの電力を三相６線式で２００ｖの電圧を大量に配電して受けるバッテリーの方式で並列充電と称している。直流のバッテリーといえども電気は波形と粒子より構成されていることは原理ですから直流にも脈動が存在する。よって三相よりも六相と脈動に近い電力が充電し易い。充電の時間が短く使う時間を長くした。【選択図】図１
2013258884.tif 000002
【特許請求の範囲】
【請求項１】
バッテリーを急速充電する方式です。
三相２００ｖ〜２１０ｖの電源を利用してバッテリーに充電する。
充電をされる側のバッテリーの電圧は交流で１８８ｖ、直流電圧２６４ｖに設定する。
直流電圧で１６ｖから３０ｖの電位差が生じる。
【請求項２】
三相交流の電気は三本の電線をそれぞれに線間の電圧と許容電流を発生する。
その三本の線は動力用として接続されキルヒホッフの法則通り電力を発生する。
その単相交流より強い電力は直流に変換してもエネルギーの保存の法則より「エネルギーは形を変えてもエネルギーは保存される」の言葉通り強い充電力を発揮する。
尚、直流といえども電気は波形と粒子から成り立っている事が基本であることから、直流にも振動が存在する。
その事により三相の電力の方が、充電力がある。
【請求項３】
バッテリーは必要以上の電圧で充電すると破損します。
その限度はバッテリーの購入時に充電されている電圧です。
１２ｖの場合は１３．５ｖです。
従って直列に繋いだ時の電圧が２９７ｖです。
ですから交流の電圧は２１０ｖまでなら安全です。
その範囲の設定が我々の考案です。
【請求項４】
バッテリーの充電方式の並列充電を考案した。
この充電はバッテリーどうしでは乾電池で行われているが、それは同時に同じ電圧になるので充電する方も減ります。
そのバッテリーの代わりに発電機から発電する電力を提供する。
エネルギーの原則として何かが減らないで何かが増えません。
発電機は発電力の強さはヘルツです。
ヘルツは磁石コイルが磁束を切る回数なのです。
１秒間に６０回なら６０ヘルツです。
ですからバッテリーにエネルギーを渡してもまた、すぐ発生する。
その数が１秒間に５０回あるのです。
だから並列に並んでいると片方が減らなければ充電される方も減りません。
限度内で使用すれば長く使えるのです。
【発明の詳細な説明】
【技術分野】
【０００１】  鉛バッテリーの１２ｖの電圧の蓄電池を２２台〜２３台直列に接続し直流電圧２６４ｖ〜２７６ｖを形成する。
そのバッテリーが有する電流量は車の普通車用の９０アンペアから１００アンペアを原則とするが３０アンペアから使用できる。
バッテリーの有する電力を３０％消費させ、その消費された電力を短い時間で充電し、繰り返し使用できる事を前提とする。
【背景技術】
【０００２】  自動車用の二次電池は車で使用される場合はオルタネーター若しくはダイナモにより充電をしながら使用されている。
それは自動車のエンジンの回転力を利用することにより長時間放置しない限り日常使用されている。
それは自動車のエンジンの回転力を利用することにより長時間放置しない限り日常使用されている。
然しバッテリーを使用しながら充電すると言う技術は一般的には完成されていない。
自動車の場合はガソリンエンジンと言う強力な回転体があるから可能な技術です。
【先行技術文献】
【０００３】
【特許文献】
【特許文献】  特許第４３９７４１７号
【発明の概要】
【発明が解決しようとする課題】
【０００４】二次電池の２２台〜２４台のセットの並列充電のテストは数限りなく行ったが全て同じ結果になった。
その結果は２４台のセットの直流電圧が２００ｖであった場合、そこに３００ｖの同じ型の同じ数のバッテリーが並列に接続されると瞬時に両方のセットが同じ２５０ｖになる。
この現象は乾電池に於いては日常に起こっている事なので不思議は無いが全ての電池の電圧は水圧が
【課題を解決するための手段】
【０００５】重ねて行った実験は特許（特許第４３９７４１７号  回転機構）を発電機として使用し三相交流２００ｖの電圧を生産し、その電力をインバータのいちじがわに接続し、その直流部門にバッテリーのセットを繋ぎ充電の実験を行った。
その結果電圧は瞬時に回復したが電流の不足分の充電に約３０秒を要した。
その時点はバッテリーの電力が電流で、４０アンペアで電圧のロスは殆ど無い状態でした。
バッテリーの電圧は２６４ｖ発電されている三相２００ｖは直流に変換すると２８０ｖですから１６ｖの電位差がありました。
その実験で思った通りの結果が出て、それ以降毎日の様に繰り返しているが何の使用も起きません。
【発明の効果】
【０００６】この充電方法はバッテリー０のセット７２０セット調達するとそこに存在する直流の電力１９，０００ｋｗ交流に換算すると１３，５７０ｋｗの電力を３０％使ってそれを次々と充電していけば１時間で４，０００ｋｗの電気が取り出せる。
若し三相で３００ｋｗの発電電圧があると３００の２００ｖが発生する。
１度に３００セットが充電時間を充分とって５分とすると、１時間３，６００セットの充電が可能です。
それも毎時間必ず５分ずつ全てのバッテリーに充電出来る。
充電が可能ということは、それだけ電気が使えると言う事になる。
３，６００セット×６ｋｗ＝２１６００ｋｗが毎時間使える。
世界の電気は全てこれに変わる。
【図面の簡単な説明】
【０００７】
【図１】システム全体図
【発明を実施するための形態】
【０００８】バッテリーが大量に必要となります。
だが、世界で走り回っている自動車の数と年間の生産台数を考えると１番多く使われているのが自動車用のバッテリーです。
このバッテリーの１セットずつをラックに入れ何段にも重ねます。
然し接続されているバッテリーどうしは２２個だけでお互い接続はありません。
電気の取り出しは、あくまでも６ｋｗがベースで６００ｋｗの場合１００個のブレーカーに電力を待機させているだけです。
【産業上の利用可能性】
【０００９】［０００５］で説明した２１，６００ｋｗの１年間の電気を１ｋｗ＝１０円で換算すると１８億９２，１６０，０００円になります。
それが収入で費用はバッテリーの数は７９，２００台で１台１０，０００円として７億９，２００万円です。
それが全てです。
半年で投資した資金は、全て戻り後はただの電気が使い放題です。
【符号の説明】
【００１０】▲１▼  三相交流２００ｖ電源（発電機もしくは商用電源）
▲２▼  発電機
▲３▼  インバーター次側への入力三相線
▲４▼  インバータ二次側からの三相出力線
▲５▼  インバータから直流でバッテリーへ
▲６▼  ２２個の直列つなぎのバッテリー
▲７▼  インバータの接続部分拡大図
【図１】
2013258884.tif 000003
(57)【要約】【課題】太陽光発電の充電をリチウムイオン充電池蓄電し、直流電源として、小型直流電源利用機、又電力使用の大きい直流利用機の２つの直流端子を備え、携帯性、小型化により非常時などの直流電源として対応する。【解決手段】本体ケース１は手掛け部１１設け形成し内部のコントロール基板１０には、電源スイッチ１３、外部入出力であるＵＳＢソケット端子３、直流出力端子４、太陽光発電入力端子７が取付けられ、該太陽光発電入力端子７は交流／直流変換器入力端子５、又自家用自動車アクセサリーソケット入力端子６、共用可能で構成、ＬＥＤインジケーター（表示）２は、充電及び出力のリチウムイオン電池９の容量を表示し、該リチウムイオン充電池９は本体ケース１内部で、コントロール基板１０と接続し大容量直流電源出力端子８として直接外部出力端子として構成している【選択図】図１
2013258886.tif 000002
【特許請求の範囲】
【請求項１】
充電式直流電源装置において、太陽光発電の充電端子、又交流／直流充電器端子を備え、内蔵充電電池出力を直流１２Ｖ、又ＵＳＢ出力される事を特徴とする充電式直流電源装置。
【請求項２】
前記において、直流／交流インバーター用、又魚釣りにおける巻き取りリール用として別に電流容量の大きい直流端子を設けた事を特徴とする請求項１記載の充電式直流電源装置。
【発明の詳細な説明】
【技術分野】
【０００１】本発明は、直流電源を出力する充電式直流電源装置に関するものである。
【背景技術】
【０００２】一般家庭電気製品は交流電源（商用電源）を使用する物が多いが、小型電気機器においては直流電源で使用する物も数多くある。【０００３】小型電気機器への直流電源としては、交流電源を直流電源に変換する変換アダプターを介して行うのが一般的である。【０００４】又乾電池、２次充電池を電源として使用する場合も多く見られる。【０００５】近年から今後の照明器具として延びているＬＥＤ照明のＬＥＤライトも直流電源としての使用が多く、又携帯電子機器の代表的な携帯電話、（含むスマートホン）やモバイル機器の充電にはＵＳＢ直流電源も可能である。【０００６】又、自家用車のアクセサリーソケット電源よりの直流電源も種々の直流電源駆動の電気用品に使用されている。
【発明の開示】
【発明が解決しようとする課題】
【０００７】前記の様に直流電源を使用する小電力消費の電気機器は近年増加傾向にあるが、使用される該直流電源が、小型で持ち運び出来る物の利用価値が高くなっている。【０００８】前記に対し交流電源は交流発電機など、移動が出来て大容量電気機器に使用出来る物もあるが、この反面直流電源に比べ使用する電気用品に依っては、その大きさなどに依る、持ち運び、又操作面等で利用しにくい場合がある。
【課題を解決する手段】
【０００９】本発明の充電式直流電源装置は、太陽光発電入力、自家用自動車アクセサリーソケット入力、さらに交流／直流変換アダプターの充電入力端子も具備し非常時の充電式電源としても対応を出来る。
【００１０】又、出力端子として直流１２Ｖ用電源出力、ＵＳＢ出力を具備し、かつ、魚釣り巻き取りリール用の電流容量の大きい直流出力端子を別途設けている。又この端子は交流／直流変換器の端子としても使用を可能にしている。
【００１１】以上の様に、充電式直流電源装置は太陽光発電入力端子類を備え蓄えた電力を非常時に直流電源として利用出来、又本体ケース背面には、大容量直流電源の利用を可能にした端子を備え、多目的な充電式直流電源装置として構成している。
【発明の効果】
【００１２】停電時、太陽光発電に依る充電、又自家用自動車のアクセサリーソケットからの充電を可能にしている。
【００１３】魚釣り巻き取りリール用と兼用の直流出力端子を設け、交流／直流変換器を外部接続にした事により、装置全体は、各端子、充電地等、充電コントロールが主な装備となり、小型かつ軽量、そして携帯性がよくなっている。
【００１４】直流使用の小型電気機器の利用、ＵＳＢ対応機器の利用、又交流／直流変換器の外部接続端子を備え、万が一の非常時事の携帯電源供給装置として活躍出来る。
【００１５】又、小型軽量のリチウムイオン充電池の内蔵で釣り人の魚釣り巻き取りリール用電源としての利用を可能にしている
【図面の簡単な説明】
【００１６】
【図１】本発明の充電式直流電源装置を示す正面斜視図。
【図２】本発明の充電式直流電源装置を示す背面斜視図。
【図３】本発明の充電式直流電源装置を示すブロック構成図。
【発明を実施するための形態】
【００１７】本発明の充電式直流電源装置は、太陽光発電入力、自家用自動車アクセサリーソケット入力、さらに交流／直流変換アダプターの充電入力端子も具備し非常時の充電式電源としても対応出来、又出力端子として直流１２Ｖ用電源出力、ＵＳＢ出力を具備し、かつ、魚釣り巻き取りリール用の電流容量の大きい直流出力端子を別途設け、  又この端子は交流／直流変換器の端子としても使用を実現している。
【実施例】
【００１８】本発明の実施例を図１〜図３に依って説明する。
本体ケース１は手掛け部１１設け形成し、内部のコントロール基板１０には、電源スイッチ１３、外部入出力であるＵＳＢソケット端子３、直流出力端子４、太陽光発電入力端子７が取付けられ、該太陽光発電入力端子７は交流／直流変換器入力端子５、又自家用自動車アクセサリーソケット入力端子６、として兼用される。【００１９】ＬＥＤインジケーター（表示）２は、充電及び出力のリチウムイオン電池９の容量を表示する。該リチウムイオン充電池９は本体ケース１内部で、コントロール基板１０と接続し大容量直流電源出力端子８として直接外部出力端子となる。又該大容量直流電源出力端子８は、魚釣り巻き取りリール用、及び交流／直流変換器各端子としても利用出来る。【００２０】又屋外で使用する場合の防水対策として本体ケース１正面に設けた各部端子の外形に防水キャップ取付け部１２を固定枠として設けてある。
【符号の説明】
【００２１】１：本体ケース
２：ＬＥＤインジケーター表示
３：ＵＳＢ出力ソケット
４：直流出力端子
５：交流／直流変換器入力端子
６：自家用自動車アクセサリーソケット入力端子
７：太陽光発電入力充電端子
８：大容量直流電源出力端子
９：リチウムイオン充電池
１０：コントロール基板
１１：手掛け部
１２  防水キャップ取付け部
１３  電源スイッチ
１４：ヒューズ
【図１】
2013258886.tif 000003
【図２】
2013258886.tif 000004
【図３】
2013258886.tif 000005